(57)【要約】
【課題】　地下の暗渠ブロック部分をそのままにして、その上部に設けられた車道と歩道との境界ブロックを段差解消板と容易に着脱交換が行え、簡単にバリアフリー化ができる境界ブロック付き暗渠ブロックを提供する。
【解決手段】　暗渠ブロック１の上に境界ブロック７及び段差解消板を嵌合させる嵌合段差面３を設け、その嵌合段差面３にボルト固定用のアンカー２を埋め込み、該アンカー２にナット９を螺着させたボルト５を差し込む。
　そして、前記嵌合段差面３に嵌まる境界ブロック７及び段差解消板に前記ボルト５を差し込むためのボルト孔８を設ける。
　さらに、該ボルト孔８上部に前記ナット９を落とし込むナット穴１１を設け、そのナット穴１１はキャップ１０を被着できるようにする。
　そして、前記境界ブロック７と段差解消板とが前記ナット９及びボルト５を外すことにより簡単に交換できるようにする。
【選択図】　　　図１
0003100419.tif 000002
【実用新案登録請求の範囲】
【請求項１】
　境界ブロック又は段差解消板を載置嵌合させるための一定幅な嵌合段差面を上面に形成するとともに該嵌合段差面にボルトを差し込むアンカーを埋設して成る暗渠ブロックと、
　前記嵌合段差面に嵌合可能に形成された底面を有し、前記暗渠ブロックに装着されたボルトが差し込み可能となるように配設されたボルト孔を縦に貫設するとともに該ボルト孔の上部に形成されたナットを落とし込むためのナット穴とを有して成る境界ブロック及び段差解消板と、
　前記アンカーに差し込まれるボルト及びそのナットと、前記ナット穴に対して着脱可能なキャップとから成り、
　前記キャップを抜いてナット及びボルトを外すことにより前記境界ブロックと段差解消板を着脱交換できるようにしたことを特徴とする境界ブロック着脱型暗渠ブロック。
【請求項２】
　段差解消板が強化プラスチック製着色板である請求項１記載の境界ブロック着脱型暗渠ブロック。
【考案の詳細な説明】
【技術分野】
【０００１】
　本考案は、車道と歩道との境界に設置される境界ブロック着脱型のコンクリート製の暗渠ブロックに関する。
【背景技術】
【０００２】
　従来、車道と歩道との境界には道路排水のためコンクリート製の暗渠ブロックが用いられ、さらにその上には道路と歩道との境界に、自動車から歩行者の安全を守るため境界ブロックが設けられている。
　そのような、暗渠ブロックの上に設けられる境界ブロックとしては、コンクリート一体成形製品（特許文献１参照）が多く、暗渠ブロック部分と境界ブロック部分との組み合わせ式の製品（特許文献２参照）も多く提供されている。
【０００３】
　それらの、境界ブロック付き暗渠ブロックでは、道路に面した敷地に、後から住宅や店舗を建設すると、その道路からの自動車の出入りができるようにするために障害となる境界ブロック部分の撤去がなされる。
　また、近年では車椅子の利用者にとって走行障害となる境界ブロックのような高い段差をなくすバリアフリー化の施策がとられるようになってきている。
【０００４】
　しかし、走行障害解消のための境界ブロック部分の撤去は、コンクリート一体成形製品（特許文献１参照）では上部の境界ブロック部分をはつりとることと平面に均すことに大きな労力を要していた。そこで、そのような手間を省くため、暗渠ブロック全体を掘り起こして境界ブロックのない暗渠ブロックと交換してしまうことが多く行われている。
　また、組み合わせ式の製品（特許文献２参照）である場合には、境界ブロック部分が外されないように暗渠ブロックにセメントで固着されているため、コンクリート一体成形製品と同様に改修工事は容易ではなく、これなでは境界ブロック部分の撤去改修工事は施主にとって大きな経済的負担となっていた。
【特許文献１】特開２００３−１６０９０５号公報
【特許文献２】登録実用新案第３０２２６９０号公報
【考案の開示】
【考案が解決しようとする課題】
【０００５】
　本考案は、地下に埋設された暗渠ブロック部分をそのままにして、その上部に設けられた車道と歩道との境界ブロックを段差解消板と随時着脱交換が行え、車道と歩道との境界のバリアフリー化が容易できる境界ブロック付き暗渠ブロックを提供するものである。
【課題を解決するための手段】
【０００６】
　上記課題を解決するために、本考案の境界ブロック着脱型暗渠ブロックは、暗渠ブロックの上に境界ブロック及び段差解消板を嵌合させる嵌合段差面を設け、その嵌合段差面にボルト固定用のアンカーを埋め込み、そのアンカーにナットを螺着させたボルトを差し込めるようにする。
　そして、その暗渠ブロックの上に載せる境界ブロック及び段差解消板は、底面を前記嵌合段差面に嵌合可能に形成し、前記暗渠ブロックに装着されたボルトが差し込み可能となるように縦方向のボルト孔を配設して、該ボルト孔の上部にはナットを落とし込むためのナット穴を設ける。
　さらに、該ボルト孔上部には前記ナットを落とし込むナット穴を設け、そのナット穴にキャップを嵌めてその穴を塞げるようにする。
　そして、前記キャップを抜いてナットとボルトを外すことにより前記境界ブロックと段差解消板を着脱交換できるように構成したものである。
【０００７】
　また、請求項２に記載の考案は、上記考案の構成において、段差解消板が強化プラスチック製着色板を使用するものである。
【考案の効果】
【０００８】
　本考案は上記構成なので、地中に埋設された暗渠ブロック部分に手を加えずそのままにしておき、その上部地上に固定された境界ブロックと段差解消板とが前記キャップとナット及びボルトを外すことにより容易に随時着脱交換できるようになった（図５の境界ブロック（イ）と段差解消板（ロ）を参照）。
　また、境界ブロック又は段差解消板は暗渠ブロックに対してモルタルを用いずにボルト及びナットで強固に固定される。その際に暗渠ブロックに上面の嵌合段差面に案内されて位置がずれることなく容易に施工することができる。
　そして、当初は境界ブロック上の車道と歩道との境界に境界ブロックを固定した状態であったものが、その境界ブロックを段差解消板と交換することで簡単にバリアフリー化が実現できるようになる。
【０００９】
　また、バリアフリー化は車道と歩道との分離があいまいになりがちであるが、段差解消板に強化プラスチック製着色板を使用すれば、白線ペンキなど塗装したものと比べ色落ちしないので車道と歩道との境界が長期間明確に保てて安全である。
【考案を実施するための最良の形態】
【００１０】
　以下本考案の実施の形態を詳しく説明する。
　本考案は、暗渠ブロック１の上に境界ブロック７（図１及び図２参照）及び段差解消板１２（図３及び図４参照）を嵌合させる嵌合段差４のある嵌合段差面３を設け、その嵌合段差面３の中央にボルト固定用のアンカー２を一定間隔に埋め込む。
　そして、該アンカー２にボルト５を差し込み、そのボルト５に螺着するナット９を用意する。
　さらに、その暗渠ブロック１の上に載せる境界ブロック７及び段差解消板１２は、底面を前記嵌合段差４の段差厚に対応する深さに嵌合段差面３を形成する。
　そして、前記暗渠ブロック１に装着されたボルト５が差し込み可能となるように縦方向のボルト孔８、１３を配設して、該ボルト孔８、１３の上部にはナット９を落とし込むためのナット穴１１、１４を設ける。
　そのナット穴１１、１４にはその穴を塞ぐキャップ１０が嵌められるようにする。
そして、前記キャップ１０を抜いて前記ナット９とボルト５を外すことにより前記境界ブロック７と段差解消板１２を随時着脱交換できるようにする。
　ナット穴１１、１４はボルト５をいつでも外せる状態にしてい置くため、着脱可能なキャップ１０のみによる栓塞を行い、モルタルや接着剤の充填固着はしない。
【００１１】
　また、安全性を高めるために段差解消板１２に、表面磨耗による色落ちがない強化プラスチック製着色板を使用すると、境界であることが長期間明確に保持できて安全である。
　なお、段差解消板１２の厚さは嵌合段差４の段差厚と同じであれば、段差は完全になくなるが、車道と歩道との区別を残すため、段差厚と同じ厚さの段差解消板１２を使用せずに多少の異なる厚みで僅かの段差を残すことも可能である。
　さらに、段差解消板１２は蛍光性や反射性の素材を用いたり、表面に各種デザインの凹凸を設けたりして、さらに安全性を高めることもできる。
　また、嵌合段差４を低くした場合には、薄い強化プラスチック製着色板では強度的に耐えられないものもあり、その場合には鉄板など金属製の段差解消板１２を使用することで対応することができる。
【産業上の利用可能性】
【００１２】
　本考案の境界ブロック着脱型暗渠ブロックは、道路の車道と歩道との境界に利用するものであるが、公園や庭園などの区域内外の境界に利用することも可能である。
【図面の簡単な説明】
【００１３】
【図１】境界ブロックでの分解した状態を示す縦断斜視図である。
【図２】図１の組み立てた状態を示す斜視図である。
【図３】段差解消板での分解した状態を示す縦断斜視図である。
【図４】図３の組み立てた状態を示す斜視図である。
【図５】（イ）が境界ブロックを（ロ）が段差解消板を固定した使用状態を示す斜視図である。
【符号の説明】
【００１４】
　　１　　暗渠ブロック
　　２　　アンカー
　　３　　嵌合段差面
　　４　　嵌合段差
　　５　　ボルト
　　６　　ボルト差込孔
　　７　　境界ブロック
　　８　　ボルト孔
　　９　　ナット
　１０　　キャップ
　１１　　ナット穴
　１２　　段差解消板
　１３　　ボルト孔
　１４　　ナット穴
【図１】
0003100419.tif 000003
【図２】
0003100419.tif 000004
【図３】
0003100419.tif 000005
【図４】
0003100419.tif 000006
【図５】
0003100419.tif 000007